(57)【特許請求の範囲】
【請求項１】
画像形成され、排紙部に排出される用紙の向きの設定が可能な画像形成装置において、
前記排紙部が初めて使用されるか否かを判定する手段と、該手段により、初めて使用されると判定された場合、一部の用紙を排出したときに画像形成を中断させる手段とを備えたことを特徴とする画像形成装置。
【請求項２】
請求項１記載の画像形成装置において、
前記画像形成が中断されているとき、前記用紙の向きを設定するための画面を表示する手段を備えたことを特徴とする画像形成装置。
【請求項３】
請求項１又は２記載の画像形成装置において、
動作モードを設定する手段を備え、該手段により前記排紙部に排出される用紙の向きが印刷の仕上がりに影響する動作モードが設定されたとき、前記画像形成を中断させることを特徴とする画像形成装置。
【請求項４】
画像形成され、排紙部に排出される用紙の向きの設定が可能な画像形成装置において、
動作モードを設定する手段と、該手段により、前記排紙部に排出される用紙の向きが印刷の仕上がりに影響する動作モードが設定されたとき、前記用紙の向きを設定するための画面を表示する手段とを備えたことを特徴とする画像形成装置。
【請求項５】
請求項４記載の画像形成装置において、
前記用紙の向きが未設定か否かを判定する手段を備え、該手段により未設定と判定されたとき、前記用紙の向きを設定するための画面を表示することを特徴とする画像形成装置。
【発明の詳細な説明】
【技術分野】
【０００１】
本発明は、用紙の印刷面を上面（表面）にして排出するフェイスアップ排紙機能、及び用紙の印刷面を下面（裏面）にして排出するフェイスダウン排紙機能を備えた画像形成装置に関し、詳細には、排出される用紙の向きの確認又は正しい設定を事前に行えるようにした画像形成装置に関する。
【背景技術】
【０００２】
画像形成装置は通常複数の給紙部（給紙トレイ）と複数の排紙部（排紙トレイ）とを備えている。複数の給紙部を設けることで、異なるサイズ或いは紙種の用紙を同時にセットすることが出来る。給紙された用紙には画像が印刷され、排紙部に排出される。
【０００３】
排紙部に排出される用紙の向き（フェイスアップ／フェイスダウン）は、作像するエンジンの構造に依存する。用紙の上面に画像を形成するエンジン機構の場合、そのままストレートに排出すれば、フェイスアップ排紙となり、反転機構で反転させて排出すれば、フェイスダウン排紙となる。逆に、用紙の下面に画像を形成するエンジン機構の場合は、そのままストレートに排出すれば、フェイスダウン排紙となり、反転排出すれば、フェイスアップ排紙となる。紙種、サイズによって反転排紙できない場合は、複数の搬送パスが必要となる。また、反転機構を有する後処理用のユニットを外付けすることにより、フェイスアップしていた用紙をフェイスダウンにしてユニット外に排出するようにしたものもある。
【０００４】
しかし、一般的な画像形成装置は、フェイスアップ排紙機能又はフェイスダウン排紙機能の何れか一方のみを具備するものであるため、排出された用紙を並べ替える必要が発生する場合があり、利便性および作業性が悪いという問題があった。そこで、フェイスダウン排紙機能、及びフェイスアップ排紙機能を設けることにより、利便性及び作業性を高めた画像形成装置が提案されている（特許文献１、２参照）。
【０００５】
ところで、排出される用紙の向きは印刷の仕上がりに影響する。例えば、ソートモードで連続したページの冊子データを印刷した場合、フェイスダウンで排出しないとページ順が反対になってしまう。また、フェイスアップ排紙となる排出口に対して、ソートを実現するには、最終ページから印刷する必要があり、その判断は印刷動作前に実行する必要がある。しかしながら、上記の提案されている画像形成装置の場合、ユーザが排出される用紙の向きの設定を誤った場合には、適切な印刷の仕上がりが実現できる向きに排出できないという問題がある。
【特許文献１】特開平６−２４６２１号公報
【特許文献２】特開２００４−２６９１０８号公報
【発明の開示】
【発明が解決しようとする課題】
【０００６】
本発明は、このような問題を解決するためになされたもので、その目的は、排出される用紙の向きの設定が可能な画像形成装置において、排出される用紙の向きの確認又は正しい設定を事前に行えるようにすることである。
【課題を解決するための手段】
【０００７】
請求項１の発明は、画像形成され、排紙部に排出される用紙の向きの設定が可能な画像形成装置において、前記排紙部が初めて使用されるか否かを判定する手段と、該手段により、初めて使用されると判定された場合、一部の用紙を排出したときに画像形成を中断させる手段とを備えたことを特徴とする。
請求項２の発明は、請求項１記載の画像形成装置において、前記画像形成が中断されているとき、前記用紙の向きを設定するための画面を表示する手段を備えたことを特徴とする。
請求項３の発明は、請求項１又は２記載の画像形成装置において、動作モードを設定する手段を備え、該手段により、前記排紙部に排出される用紙の向きが印刷の仕上がりに影響する動作モードが設定されたとき、前記画像形成を中断させることを特徴とする。
請求項４の発明は、画像形成され、排紙部に排出される用紙の向きの設定が可能な画像形成装置において、動作モードを設定する手段と、該手段により、前記排紙部に排出される用紙の向きが印刷の仕上がりに影響する動作モードが設定されたとき、前記用紙の向きを設定するための画面を表示する手段とを備えたことを特徴とする。
請求項５の発明は、請求項４記載の画像形成装置において、前記用紙の向きが未設定か否かを判定する手段を備え、該手段により未設定と判定されたとき、前記用紙の向きを設定するための画面を表示することを特徴とする。
【０００８】
（作用）
請求項１の発明によれば、画像形成された用紙が初めて使用される排紙部に排出される場合は、一部の用紙を排出したときに画像形成を中断させる。
請求項２の発明によれば、画像形成された用紙が初めて使用される排紙部に排出される場合は、一部の用紙を排出したときに画像形成を中断させるとともに、前記用紙の向きを設定するための画面を表示する。
請求項３の発明によれば、排紙部に排出される用紙の向きが印刷の仕上がりに影響する動作モードが設定され、画像形成された用紙が初めて使用される排紙部に排出される場合は、一部の用紙を排出したときに画像形成を中断させるか、又は１枚の用紙を排出したときに画像形成を中断させるとともに、前記用紙の向きを設定するための画面を表示する。
請求項４の発明によれば、排紙部に排出される用紙の向きが印刷の仕上がりに影響する動作モードが設定されたとき、前記用紙の向きを設定するための画面を表示する。
請求項５の発明によれば、排紙部に排出される用紙の向きが印刷の仕上がりに影響する動作モードが設定されたとき、前記用紙の向きを設定するための画面を表示する。
【発明の効果】
【０００９】
本発明によれば、排出される用紙の向きの設定が可能な画像形成装置において、排出される用紙の向きの確認又は正しい設定が事前に行える。
【発明を実施するための最良の形態】
【００１０】
以下、本発明の実施形態について図面を参照しながら説明する。
図１は本発明の実施形態の画像形成装置の外観図を示す。この画像形成装置はコピー機能、ファクシミリ機能、オフラインプリンタ機能，オンラインプリンタ機能等を備えており，原稿画像を光学的に読み取るスキャナユニット101と、用紙に画像を形成するプリンタユニット102と、スキャナユニット101及びプリンタユニット102を制御する制御ユニット（図５参照）とを備えている。
【００１１】
スキャナユニット101には、スキャナユニット101及びプリンタユニット102のエラー及びステータスの表示を行うと共に、画像形成装置全体の操作入力を行うための操作表示部103と、原稿を１枚ずつ所定の画像読取位置に搬送する自動原稿搬送装置（以下、ＡＤＦという）104とが配置されている。
【００１２】
プリンタユニット102には、プリンタユニット102のエラー及びステータスの表示を行うＬＥＤ表示部102aと、プリンタユニット102の筐体の側面に配置されたフェイスアップ排紙トレイ102bと、プリンタユニット102の筐体上面に配置されたフェイスダウン排紙トレイ102cとが設けられている。
【００１３】
また、図２に示すように、プリンタユニット102の上部にフェイスダウン排紙トレイ301aを具備した排紙ユニット301を増設して、フェイスダウン排紙トレイをフェイスダウン排紙トレイ102ｃ，301aの２段構成とし、用紙を何れかに分けて排紙可能とすることもできる。
【００１４】
図３はプリンタユニット102の概略構成を示しており、用紙を一枚ずつ給紙する給紙カセット401，402と、手差しトレイ403と、感光体ドラム404と、感光体ドラム404を一様に帯電する帯電ローラ405と、感光体ドラム404に静電潜像を形成するレーザ書き込み部406と、感光体ドラム404上の静電潜像をトナー像に現像する現像装置407と、感光体ドラム404上のトナー像を給紙された用紙に転写するための転写ローラ408と、転写後の感光体ドラム上の残留トナーを除去するクリーニング装置409と、用紙上のトナー像を定着させる定着装置410と、用紙の両面に画像を形成する際に両面給紙ユニット（図示せず）へ用紙を導くための搬送路411と、用紙を排出するか搬送路411へ搬送するかに応じて搬送路の切替えを行うための切替爪412と、用紙の排紙先がフェイスアップ排紙トレイ102bであるかフェイスダウン排紙トレイ102cであるかに応じて搬送路の切替えを行うための切替爪413と、排紙ユニット301が増設されている場合に、フェイスダウン排紙トレイ102c，301aの何れに排紙するかに基づいて搬送路の切替えを行うための切替爪414とを備えている。
【００１５】
この図に示すように、フェイスアップ排紙トレイ102bに用紙が排出される場合は複数の搬送ローラによってそのままストレートに排出され、フェイスダウン排紙トレイ102cに用紙が排出される場合は途中の搬送路と排紙ローラ415とによって用紙が反転されて排出される。どちらの排紙トレイを用いるかは、操作表示部103のモードキー（図６に基づいて後述する）を操作することで設定できる。また、図３には両面給紙ユニットを示していないが、両面給紙ユニットを搭載する場合には、給紙カセット401の位置に両面給紙ユニットを配置し、搬送路411から両面給紙ユニットへ用紙を搬送し、両面給紙ユニット内で用紙を反転させた後、現像装置407側の搬送路へ再度用紙を給送する。
【００１６】
図４はスキャナユニット101の概略構成を示しており、ＡＤＦ104により所定の読取位置に搬送された原稿に対し、光源501から光を照射し、その反射光を第１ミラー502、第２ミラー503、第３ミラー504及びｆθレンズ505を介してＣＣＤ（電荷結合素子）506に結像させ、ＣＣＤ506で光電変換にすることによりアナログ信号に変換し、画像データとして読み取る。
【００１７】
図５に示すように、制御ユニット100は、スキャナユニット101で読み取った画像データに対して増幅処理、２値化処理、シェーディング補正処理等を施すと共に、スキャナエンジン（スキャナユニット101）の駆動制御を行うスキャナ用コントローラ100aと、スキャナ用コントローラ100aから画像データを入力し、圧縮・伸長処理を施す圧縮・伸長処理部100bと、プリンタユニット102で出力する画像データのスムージング処理、ディザ処理等を行うと共に、プリンタエンジン（プリンタユニット102）の駆動制御を行うプリンタ用コントローラ100cとを備えている。ここで、801はスキャナユニット101の筐体に搭載される部分であり、802はプリンタユニット102の筐体に搭載される部分である。
【００１８】
本実施形態では、コピー機能、ファクシミリ機能、オフラインプリンタ機能、及びオンラインプリンタ機能等を実現するための各種制御をプリンタ用コントローラ100cで行う。従って、図示を省略したが、プリンタ用コントローラ100c内には電話回線と接続するためのインターフェイス、オフラインでホスト装置と接続するためのインターフェイス、ネットワーク（オンライン）と接続するためのインターフェイス等が搭載されている。また、操作表示部103の操作表示コントローラ103aは、スキャナ用コントローラ100a及びプリンタ用コントローラ100cと制御用のシリアル信号線で接続されている。
【００１９】
図６に示すように、操作部表示部103には、各種キーとして、コピー枚数などを設定するためのテンキー701と、コピー動作を行うためのプリントキー702と、コピー動作を中断させるためのクリアストップキー703と、試し印刷を行うための試し印刷キー704と、設定済のモードをクリアするためのモードクリアキー705と、１枚の用紙に複数の印刷ジョブの画像を形成するための同居印刷キー706とが配置されている。また、それらのキーの左側には液晶表示部707が配置されている。液晶表示部707は、画像形成装置の状態を示すメッセージ（図では「コピーできます」）を表示するエリアを有すると共に、モード設定を行うための各種モードキーがタッチパネルとして配置されている。
【００２０】
各種モードキーには、コピー倍率を変更するための倍率キー、用紙を変更するための用紙キー、濃度を変更するための濃度キー、原稿向きの設定のための原稿方向キー、ステープル設定のためのステープルキー、ステープル位置を設定するためのステープル位置キー、表紙モード設定キー、章区切り設定キー、印字モード設定キーなどがある。ユーザはこれらのモードキーを操作してコピーモードを設定した後にプリントキー702を押す。
【００２１】
なお、章区切りモードとはユーザが指定した原稿画像を印刷する時に、別途設定した章区切り用紙に印刷するモードであり、表紙モードとは部の先頭及び部の最終の用紙を別途設定した表紙トレイ用紙を使用するモードである。また、印字モードにはページを自動で刷り込むページ印字モードと、登録された絵柄を刷り込むスタンプ印字モードとがある。印字モードセット時には、印字開始するページ数の設定、印字位置の設定、印字書式の種類（P.1、1ページ等）など必要な情報を設定指示する。原稿方向キーは、スキャンした原稿を置く向きを設定するものであり、ユーザから見て、その原稿面の画像が読める方向で装置にセットする場合には読める向きを、時計回りに270度回転させてセットする場合には読めない向きをセットする。これにより、たとえばＡ３版原稿のように、ＡＤＦ若しくはコンタクトガラス上に一方向にしかセットできない原稿に対しても、読み取りの画像の向きを踏まえた印刷が可能となる。また、ユーザコードモード、即ち各ユーザを識別する任意の番号を入力し、ユーザ別に使用回数や印刷枚数を管理するモードを設けてもよい。
【００２２】
プリントキー702が押されると、ＡＤＦ104の上に置かれた原稿は逐次読み込み位置まで搬送され、読み取り後に排出される。ＣＣＤ506で読み取られた画像データはスキャナ用コントローラ102a内の画像メモリへ取り込まれる。このメモリの容量は有限であるから、読み取り動作により残量がなくなった場合には、メモリフル判定がなされ、読み込み動作は中断する。リピートコピーでは、この取り込んだ画像データを使用して、感光体ドラム404上に作像する。原稿を読み取り走査する際には、画像データのほかに原稿サイズ、原稿方向の情報もスキャナ用コントローラ102a内のバッファメモリに記憶する。このバッファメモリには、さまざまな設定値やカウンタ値も記憶される。用紙トレイ自動選択（ＡＰＳ）モードに設定されている場合は、設定されたコピーモードと原稿サイズとから必要な用紙トレイを判断する。用紙トレイ手動選択時にはそのトレイを選択する。表紙モードや章句切り、合紙挿入モードが選択されている場合には、本文の用紙トレイとは別にあらかじめ設定もしくは選択された表紙トレイ、章区切り紙トレイも選択する。
【００２３】
プリンタユニット102において、プリンタ用コントローラ100cに実装された画像形成及び用紙搬送を実現するプログラムは、これらのコピーモードを各用紙面単位に分割し実行する。制御プログラム上、この面毎の単位をプロセスと呼んでいる。印刷プロセスを作成し、エンジン制御プログラムに対して発行することにより、用紙搬送制御や印刷動作を実現する。印刷が完了するとプロセス実行終了の応答が発生し、すべてのプロセスを実行すると印刷が終了する。原稿束の終了はＡＤＦ104にて自動的に判断できるように構成してもよいし、手動で指示する手段を設けてもよい。
【００２４】
以上は本実施形態の画像形成装置の基本的な複写動作である。本実施形態の画像形成装置は、プリンタ用コントローラ100cが以下の図７〜１１に示す処理の何れかを実行することにより、プリントキー702が押されたときに、ユーザが予め選択した排紙トレイに画像形成済の用紙が排出されるか否かの確認、若しくは排紙トレイの設定をできるようにした。また、図１２に示す処理を実行することにより、ソートモードに設定された場合は、排紙トレイの初期設定画面を操作表示部103に表示させることにより、ソートモードの場合はフェイスダウン排紙トレイ102c又は301aに設定することを可能にしている。なお、これらの処理のどれを実行するかについては、機種毎に１つの処理のみが可能に構成してもよいし、複数の処理を可能にすると共に、それらの処理のうち１つ以上を操作表示部103から選択できるように構成してもよい。以下、各処理を順に説明する。
【００２５】
図７に示す処理では、印刷ジョブが開始されたか否かを判断し（ステップＳ１）、開始された場合は、その印刷ジョブにより印刷される用紙が排出されるトレイが、初めて用紙が排出されるトレイであるか否か、換言すれば、そのトレイが画像形成装置の設置後初めて使用されるか否かを判断する（ステップＳ２）。そして、初めて用紙が排出されるトレイであった場合は、１枚の用紙を排出した後に印刷ジョブを中断する（ステップＳ３）。従って、ユーザは、用紙がフェイスアップ排紙トレイ102b、フェイスダウン排紙トレイ102c，301aの何れに排出されているかにより、ユーザが事前に設定した用紙の向きが正しいか否かを確認出来る。そして、誤っていた場合は、例えば操作表示部103のモードクリアキー705を押してモードをクリアし、モードを設定し直すなどの操作を行う。誤っていなかった場合は、操作表示部103の所定のキーを押すか、又は一定時間何のキー操作もなかった場合に自動的にジョブを再開するように構成する。なお、印刷ジョブの中断中に中断理由を操作表示部103に表示してもよい。このように、初めて用紙が排出されるトレイであった場合は、印刷ジョブにより複数枚の用紙の印刷が行われる場合に１枚のみ用紙を印刷して排出し、印刷ジョブを中断することで、排出される用紙の面の向きの設定ミスによる影響を最小限に抑えることができる。
【００２６】
図８に示す処理では、印刷ジョブが開始され、その印刷ジョブにより印刷される用紙が排出されるトレイが、初めて用紙が排出されるトレイであった場合は（ステップＳ11及びＳ12でYES）、ソートモードに設定されているか否かを判断する（ステップＳ13）。そして、ソートモードに設定されていた場合は図７の処理と同様、１部の用紙の排出を完了したときに印刷ジョブを中断する（ステップＳ14でYES、Ｓ15）。ソートモードでは、複数頁からなる書類を複数部印刷する場合、先頭頁から最終頁まで１枚ずつ排出する動作を部数分の回数繰り返す。例えば３頁の書類を２部片面印刷する場合、第１頁、第２頁、第３頁の順に１部目を印刷して排出し、次に第１頁、第２頁、第３頁の順に２部目を印刷して排出する。この場合、ステップＳ14における「１部排出完了」とは、１部目の３頁分の排出の完了を意味する。
【００２７】
また、ソートモードではなく、スタックモードであった場合は、１画像分の印刷が完了したときに印刷ジョブを中断する（ステップＳ16でYES、Ｓ15）。スタックモードでは、複数頁からなる書類を複数部印刷する場合、先頭頁から最終頁まで頁ごとに部数分ずつ印刷する。例えば３頁の書類を２部片面印刷する場合、第１頁、第１頁、第２頁、第２頁、第３頁、第３頁の順に印刷して排出する。この場合、ステップＳ16における「１画像分排出完了」とは、第１頁の２部の排出完了を意味する。
【００２８】
これらの「１部排出」及び「１画像分排出」、並びに図７にて説明した「１枚排出」は、いずれも本発明における「一部の用紙を排出」に該当する。なお、複数のジョブを受け付けた場合、印刷ジョブの中断はジョブ単位など区切りのよいところで実行してもよい。
【００２９】
図９示す処理において、ステップＳ21からＳ23までは図７の処理におけるステップＳ１からＳ３までの処理と同じである。図９の処理は、排出トレイの選択を行わずにプリントキーを押した場合に実行される処理であり、図７の処理に対し、印刷ジョブの中断中に排紙トレイの初期設定入力画面を操作表示部103に表示させる処理（ステップＳ24）を追加したものであり。ユーザは初期設定入力画面を見ながら設定値を入力することができる。
【００３０】
図１０に示す処理において、ステップＳ31からＳ36までは図８の処理におけるステップＳ11からＳ16までの処理と同じである。図１０の処理は、図９の処理と同様、排出トレイの選択を行わずにプリントキーを押した場合に実行される処理であり、図９の処理に対し印刷ジョブの中断中に排紙トレイの初期設定入力画面を操作表示部103に表示させる処理（ステップＳ37）を追加したものである。ユーザは初期設定入力画面を見ながら設定値を入力することができる。
【００３１】
図１１に示す処理では、印刷ジョブが開始され、ソートモードに設定されている場合は（ステップＳ41及びＳ42でYES）、その印刷ジョブにより印刷される用紙が排出されるトレイが、初めて用紙が排出されるトレイであるか否かを判断する（ステップＳ43）。そして、初めて用紙が排出されるトレイであった場合は、１枚の用紙を排出した後に印刷ジョブを中断し（ステップＳ44）、次いで印刷ジョブの中断中に排紙トレイの初期設定入力画面を操作表示部103に表示させる処理（ステップＳ45）。この図の処理も図９及び１０の処理と同様、排出トレイの選択を行わずにプリントキーを押した場合に実行される。ユーザは初期設定入力画面を見ながら設定値を入力することができる。このように、排出される用紙の向きが印刷の仕上がりに影響するモードであるソートモードを選択した場合は、１枚のみ用紙を排出し、印刷ジョブを中断することで、排出される用紙の面の向きの設定ミスによる影響を最小限に抑えることができる。
【００３２】
図１２に示す処理では、ソートモードに設定され（ステップＳ51でYES）、かつユーザにより排紙トレイが選択されていない場合に（ステップＳ52でYES）、初期設定入力画面を操作表示部103に表示させる（ステップＳ53）。ユーザは初期設定入力画面を見ながら設定値を入力することができる。このように、排出される用紙の面の向きが印刷の仕上がりに影響するモードであるソートモードを選択した場合は、直ちに排紙トレイが未設定であることを報知することにより、排出される用紙の面の向きの設定ミスを未然に防ぐことができる。
【００３３】
なお、以上の説明は、原稿を複写する場合の動作に関するものであったが、本発明は、ホスト装置やネットワークを介して印刷コマンドを受信する場合にも同様に適用できる。また、以上の実施形態では、最初に排紙トレイを使用するときに図７〜１１に示す処理を実行しているが、ユーザの設定により、最初に排紙トレイを使用するときに限らず定期的或いは随時実行できるように構成してもよい。これらの場合、図７のステップＳ２などの「初めて排出する排紙トレイ」は、実行中の印刷ジョブにおいて初めて排出する排紙トレイとなる。
【図面の簡単な説明】
【００３４】
【図１】本発明の実施形態の画像形成装置の外観図である。
【図２】本発明の実施形態の画像形成装置の排紙ユニットを増設する様子を示す外観図である。
【図３】本発明の実施形態の画像形成装置のプリンタユニットの概略構成を示す図である。
【図４】本発明の実施形態の画像形成装置のスキャナユニットの概略構成を示す図である。
【図５】本発明の実施形態の画像形成装置の制御ユニットの概略構成を示すブロック図である。
【図６】本発明の実施形態の画像形成装置の操作表示部の表示例を示す図である。
【図７】本発明の実施形態の画像形成装置のプリンタ用コントローラの処理の一例を示すフローチャートである。
【図８】本発明の実施形態の画像形成装置のプリンタ用コントローラの処理の一例を示すフローチャートである。
【図９】本発明の実施形態の画像形成装置のプリンタ用コントローラの処理の一例を示すフローチャートである。
【図１０】本発明の実施形態の画像形成装置のプリンタ用コントローラの処理の一例を示すフローチャートである。
【図１１】本発明の実施形態の画像形成装置のプリンタ用コントローラの処理の一例を示すフローチャートである。
【図１２】本発明の実施形態の画像形成装置のプリンタ用コントローラの処理の一例を示すフローチャートである。
【符号の説明】
【００３５】
100c・・・プリンタ用コントローラ、102b・・・フェイスアップ排紙トレイ、102c，301a・・・フェイスダウン排紙トレイ、103・・・操作表示部。
【図１】
0004803664.tif 000002
【図２】
0004803664.tif 000003
【図３】
0004803664.tif 000004
【図４】
0004803664.tif 000005
【図５】
0004803664.tif 000006
【図６】
0004803664.tif 000007
【図７】
0004803664.tif 000008
【図８】
0004803664.tif 000009
【図９】
0004803664.tif 000010
【図１０】
0004803664.tif 000011
【図１１】
0004803664.tif 000012
【図１２】
0004803664.tif 000013